(57)【特許請求の範囲】
【請求項１】
複数の被覆エレメントを備えたケーシングであって、互いに反対側に旋回可能に取り付けられた固定アングル材（２０）を有しており、該固定アングル材（２０）が調節された角度位置で緊締ねじ（２４）によって係止可能である形式のものにおいて、
前記固定アングル部材（２０）がケーシングの互いに反対側に配置された２つの被覆エレメント（１１）に取り付けられており、これらの被覆エレメント（１１）が、これらの被覆エレメントに垂直に接続された別の被覆エレメント（１２）との２つの接続領域で、凹部又は貫通孔（３５）を有しており、該凹部又は貫通孔（３５）内に接続プレート（３０）がねじ込み可能又は係止可能であって、
接続プレート（３０）がカバープレート（２５）によってカバーされていて、このカバープレート（２５）内に滑りリング円板（２７）が挿入されており、
該滑りリング円板（２７）を通って緊締ねじ（２４）がガイドされており、
カバープレート（２５）と滑りリング円板（２７）とがプラスチック支承部を形成している、
ことを特徴とする、被覆エレメントを備えたケーシング。
【請求項２】
互いに反対側に配置された２つの被覆エレメント（１１）が、水平方向又は垂直方向に整列されている、請求項１記載のケーシング。
【請求項３】
接続プレート（３０）とカバープレート（２５）とが、被覆エレメント（１１）の凹部又は貫通孔（３５）を面一に閉鎖する、請求項１記載のケーシング。
【請求項４】
緊締ねじ（２４）の調節ボタン（２３）が、緊締区分（２９）を介して緊締ねじ（２４）に移行しており、
緊締ねじ（２４）が固定アングル材（２０）の孔（２１）及び滑りリング円板（２７）の孔を貫通ガイドされて、接続プレート（３０）のねじ受容部（３２）内にねじ込まれている、請求項１から３までのいずれか１項記載のケーシング。
【請求項５】
カバープレート（２５）が差込み部材（２８）によって、接続プレート（３０）の差込み受容部（３１）内で保持されている、請求項１から４までのいずれか１項記載のケーシング。
【請求項６】
２つの被覆エレメント（１１）の凹部又は貫通孔（３５）内に挿入又は係止された接続プレート（３０）が、これらの被覆エレメント（１１）に垂直に接続された別の被覆エレメント（１２）に結合されている、請求項１から５までのいずれか１項記載のケーシング。
【請求項７】
固定アングル材（２０）が、ほぼ三角形の脚部を有していて、該脚部が、丸味のつけられた先端領域で緊締ねじ（２４）のための孔（２１）を備えており、
この三角形の脚部の底辺側で、固定舌片（２２）が折り曲げ成形されている、請求項１から６までのいずれか１項記載のケーシング。
【請求項８】
２つの固定アングル材（２０）の固定舌片（２２）が互いに向き合っている、請求項７記載のケーシング。
【請求項９】
滑りリング円板（２７）が、カバープレート（２５）の厚さよりもやや大きい厚さを有している、請求項１から８までのいずれか１項記載のケーシング。
【請求項１０】
少なくとも１つの固定アングル材（２０）が中空体のケーブルガイドとして構成されており、
単数又は複数のケーブル（４０）が、旋回軸線の領域内で、カバープレート（２５）及び接続プレート（３０）の孔（２６，３４）を通ってケーシング（１０）内に導入されている、請求項１から９までのいずれか１項記載のケーシング
【発明の詳細な説明】
【０００１】
【発明の属する技術分野】
本発明は、複数の被覆エレメントを備えたケーシングであって、互いに反対側に旋回可能に取り付けられた固定アングル材を有しており、該固定アングル材が調節された角度位置で緊締ねじによって係止可能である形式のものに関する。
【０００２】
【従来の技術】
このような形式のケーシングは、しばしばフラットケーシングとして構成されていて、操作ケーシングとして用いられ、この場合、支承受容部と支承ピンとによって形成された、ドアプレートの支承軸は、垂直又は水平に整列される。ドアプレートは、ケーシングの一方側で、ケーシング内室に侵入することを可能にする。
【０００３】
このような形式のケーシングが、機械制御の操作ケーシング又はこれと類似のものとして使用される場合には、ケーシングは簡単な形式で壁部又は機械自体に固定される。
【０００４】
【発明が解決しようとする課題】
そこで本発明の課題は、冒頭に述べた形式のケーシングに簡単な固定装置を設け、この固定装置が、ドアプレートを介してのケーシング内部への侵入を妨げることがなく、しかもケーシングの調節可能性が維持されるようにすることである。
【０００５】
【課題を解決するための手段】
この課題を解決した本発明によれば、前記固定アングル部材（Ｂｅｆｅｓｔｉｇｕｎｇｓｗｉｎｋｅｌ；Ｌ字形の固定部材）がケーシングの互いに反対側に配置された２つの被覆エレメントに取り付けられており、これらの被覆エレメントが、これらの被覆エレメントに垂直に接続された別の被覆エレメントとの２つの接続領域で、凹部又は貫通孔を有しており、該凹部又は貫通孔内に接続プレートがねじ込み可能又は係止可能であって、
接続プレートがカバープレートによってカバーされていて、このカバープレート内に滑りリング円板が挿入されており、該滑りリング円板を通って緊締ねじがガイドされており、カバープレートと滑りリング円板とがプラスチック支承部を形成している。
【０００６】
【発明の効果】
簡単な固定アングル材と、ねじ受容部と、調節ボタンを備えた緊締ねじとによって、ケーシング全体のための組み付けヒンジが提供され、これによって規定された旋回軸線を中心にしてケーシングが旋回せしめられて、調節された角度位置で係止されるようになっている。この場合、旋回軸線は、水平方向又は垂直方向に整列され、つまり方向付けられていて、ケーシングは、相応に方向付けられた固定面に旋回可能に取り付けられる。このケーシングが、機械制御の操作ケーシングであれば、固定面は機械の独立した部分である。
【０００７】
本発明の実施態様によれば、互いに反対側に配置された２つの被覆エレメントが、これらの被覆エレメントに垂直に接続された別の被覆エレメントとの２つの接続領域で、凹部又は貫通孔を有しており、該凹部又は貫通孔内に接続プレートがねじ込み可能又は係止可能であって、接続プレートがねじ受容部を有していて、カバープレートによってカバーされており、カバープレートが滑りリング円板を受容し、該滑りリング円板を通って緊締ねじがガイドされている。このような構成によれば、組み付けヒンジは、ケーシングの左側又は右側若しくは下側又は上側に設けることができる。この場合、旋回軸線を方向付け若しくは整列させて、凹部又は貫通孔の一方又は他方の対を、ケーシングの互いに反対側の２つの被覆エレメント内に挿入するだけでよい。
【０００８】
本発明の別の実施態様によれば、接続プレートとカバープレートとが、被覆エレメントの凹部又は貫通孔を面一に（同一面を成して）閉鎖する。固定アングル材は、ケーシングに確実に緊締されていて、ケーシングの角度位置を係止することができる。
【０００９】
本発明の別の実施態様に従って、カバープレートと滑りリング円板とがプラスチック支承部を形成していれば、固定面に対するケーシングの角度位置は、位置が係止された状態においても、相応に高められた調節力が加えられると、変えられるようになっている。
【００１０】
緊締ねじの調節ボタンが、緊締区分を介して緊締ねじに移行しており、緊締ねじが固定アングル材の孔及び滑りリング円板の孔を貫通ガイドされて、接続プレートのねじ受容部内にねじ込まれていることによって、確実な緊締が得られる。摩擦を高めるために、付加的に摩擦円板を用いることができる。
【００１１】
カバープレートは、接続プレートの差込み受容部内で差込み部材によって、あらかじめケーシングに固定可能である。
【００１２】
本発明の別の実施態様に従って、２つの被覆エレメントの凹部又は貫通孔内に挿入又は係止された接続プレートが、これらの被覆エレメントに垂直に接続された別の被覆エレメントに結合、特にねじ結合されていることによって、接続プレートは、ケーシングを組み立てるために用いることができる。
【００１３】
固定アングル材が、ほぼ三角形の脚部を有している。緊締ねじのための孔は、丸味のつけられた先端領域に設けられており、この三角形の脚部の底辺側には、固定舌片が折り曲げ成形されている。
【００１４】
ケーシングにおける固定アングル材の取付けは、本発明の別の実施態様によれば、２つの固定アングル材の固定舌片が互いに向き合うように、取り付けられている。
【００１５】
さらにまた、滑りリング円板が、カバープレートの厚さよりもやや大きい厚さを有していれば、プラスチック支承部は、ケーシングの角度位置を変えるための調節力を規定する。
【００１６】
少なくとも１つの固定アングル材が中空体のケーブルガイドとして構成されており、単数又は複数のケーブルが、旋回軸線の領域内で、ドアプレートの取付け及び組み付けヒンジを妨げることなしに、カバープレート及び接続プレートの孔を通ってケーシング内に導入されていることによって、ケーシングの電気的な接続が、軽減される。
【００１７】
【発明の実施の形態】
次に本発明の実施の形態を図示の実施例を用いて具体的に説明する。
【００１８】
図１に示したケーシング１０は、同一の２つの被覆エレメント１１と、同一の２つの被覆エレメント１２と、１つのドアプレート１３と、１つのフロントプレート１９とから構成されている。この場合、フロントプレート１９は、互いに結合されて１つのフレーム（枠材）を形成する被覆エレメント１１及び１２の環状に延びる溝内で保持される。フロントプレート１９は、操作ケーシングとして使用されるケーシング１０において操作及び／又は表示エレメントを備えていてよい。ケーシング１０の、フロントプレート１９とは反対側は、ドアプレート１３によって閉鎖可能である。このドアプレート１３は図示の実施例では二重壁状に構成されていて、プロフィール（異形材）支持体の区分として長さが短くされている。この場合、仕切壁は、ドアプレート１３の長手方向室を形成していて、ドアプレート１３の、被覆エレメント１２に向いた側は、真っ直ぐに延びる支承受容部１４として構成されている。閉鎖位置で、被覆エレメント１１は、ドアプレート１３の開放側を覆っていて、支承受容部１４の領域内でねじ受容部１５を有している。支承ピン１６は、ドアプレート１３を被覆エレメント１１に固定するためのものである。この場合、支承ピン１６は、そのねじ山部分１７が被覆エレメント１１のねじ受容部１５内にねじ込まれて、支承ピン１６のピン端部１８が支承受容部１４内に導入されるようになっている。
【００１９】
このような形式で、２つの支承ピン１６によってドアプレート１３をケーシング１０に旋回可能に枢着することができる。つまり、被覆エレメント１２が水平方向に整列されているか又は垂直方向で整列されているかに応じて、一種のストッパ形式で、左側又は右側若しくは下側又は上側で、ドアプレート１３をケーシング１０に枢着することができる。４つの支承ピン１６によって、ドアプレート１３は閉鎖位置で固定される。
【００２０】
被覆エレメント１１は、２つの端部領域、つまり被覆エレメント１２との接続領域で、凹部又は貫通孔３５を有しており、この凹部又は貫通孔３５内に接続プレート３０が挿入可能又は係止可能である。この接続プレート３０は、ねじ３３で示されているように、被覆エレメント１２にねじ結合することもできる。この場合、ねじ３３は、異形押し出し成形材の区分として構成された被覆エレメント１２のねじ溝若しくはねじ孔内にねじ込むことができる。
【００２１】
被覆プレート３０はねじ受容部３２を有しており、このねじ受容部３２は、被覆エレメント１２の領域内で旋回軸線を有しており、この旋回軸線は、前述のように水平方向又は垂直方向に延びていてよい。２つのＬ字形固定部材若しくは固定アングル材２０によって、ケーシング１０は１つの固定面においてその角度位置を調節して固定することができる。このために、差込み部材２８及び差込み受容部３１によって示されているように、接続プレート３０にカバープレート２５が被せ嵌められる。カバープレート２５は凹部又は貫通孔３５を面一に（同一面を成すように）閉鎖するので、カバープレート２５の孔２６内に挿入された滑りリング円板２７は、ケーシングの角度位置が変化した場合に調節力を規定するプラスチック支承部を形成することができる。
【００２２】
緊締ねじ２４は、緊締区分２９及び調節ボタン２３とを備えており、従って調節ボタン２３は、固定アングル材２０の孔２１及び滑りリング円板２７の孔内を通って導入されてから、接続プレート３０のねじ受容部３２内にねじ込むことができる。この場合、固定アングル材２０の、孔２１を備えた脚部は、調節された角度位置でケーシング１０つまり被覆エレメント１１に緊締され、この角度位置が係止されるようになっている。２つの固定アングル材２０は、その固定舌片２２が互いに向き合った状態で、ケーシング１０に固定されている。
【００２３】
図面から分かるように、組み付けヒンジは、一方又は他方の接続エレメント１１の領域にずらすことができる。つまり、両端部領域に接続プレート３０及びカバープレート２５のための凹部又は貫通孔３５が設けられていて、どちらにも固定アングル材２０を取り付けることができるからである。挿入された両方の接続プレート３０の両方のねじ受容部３２は１つの旋回軸線を規定している。
【００２４】
ドアプレート１３と被覆エレメント１２とは、異形押し出し成形材の区分として構成することができる。またドアプレート１３と被覆エレメント１２とは、長さが同じであるので、それによって、ケーシング１０の幅又は高さを規定することができる。
【００２５】
両方の固定アングル材２０の固定舌片２２は、垂直又は水平な固定面で結合される。それによってケーシング１０は、旋回軸線を中心にして水平に又は垂直に調節される。この場合、緊締ねじ２４は部分的に緊締位置を示すことができる。
【００２６】
カバープレート２５と滑りリング円板２７との間のプラスチック支承部は、高い調節力で調節を変えることを可能にする。摩擦は、旋回支承部の領域内で付加的な摩擦円板によって高められる。
【００２７】
図２には、固定アングル材２０の領域におけるケーシング１０とドアプレート１３との拡大図が示されている。この場合、固定アングル材２０は中空体でケーブルガイドとして構成されている。ケーブル４０は、固定フランジ２２の貫通孔４１を通って導入され、次いでカバープレート２５の孔２６を通り、接続プレート３０の孔３４を介してケーシング１０内に達する。
【図面の簡単な説明】
【図１】組み付けヒンジのために必要とされる部分を備えた、枢着され開放されたドアプレートにおける、フラットケーシングとして構成されたケーシングの正面から見た斜視図である。
【図２】固定アングル材が中空体でケーブルガイドして構成されていて、ケーブルが旋回軸線の領域内に導入されている、拡大した部分的な斜視図である。
【符号の説明】
１０  ケーシング、  １１，１２  被覆エレメント、  １３  ドアプレート、１４  軸受受容部、  １５  ねじ受容部、  １６  支承歩イン、  １７  ねじ山部分、  １８  ピン端部、  １９  フロントプレート、  ２０  固定アングル材、  ２２  固定エレメント、  ２３  調節ボタン、  ２４  緊締ねじ、  ２５カバープレート、  ２６  孔、  ２７  滑りリング円板、  ２８  差込み部材、  ２９  緊締区分、  ３０  接続プレート、  ３１  差込み受容部、  ３２  ねじ受容部、  ３３  ねじ、  ３５  貫通孔、  ４０  ケーブル
【図１】
0003829123.tif 000002
【図２】
0003829123.tif 000003